【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
構成制御システムを備える乗員支持システムであって、前記構成制御システムは、
乗員に関連付けられる乗員データを取得するように構成されるインターフェイスと、
前記乗員データを受け取り、前記乗員データを使用して一組の身体比率を計算し、前記身体比率および乗員データを使用して外的な身体の寸法を計算し、前記乗員の肉体の厚さの推定値および前記外的な身体の寸法を使用して内的な身体の寸法を計算し、前記乗員の身体が最良適合の身体配置にある場合に前記乗員の快適性および／または安全性が高められるように、内的な身体の寸法および予め定められた基準を使用して前記乗員の最良適合の身体配置を計算する手段を提供するように構成されるコンピュータとを含む、乗員支持システム。
【請求項２】
車両に含まれる車両フレームに取り付けられるように構成される車両座席をさらに備え、前記インターフェイスは、前記車両座席に関連付けられる車両データを取得するようにさらに構成され、前記コンピュータは、前記内的な身体の寸法、前記予め定められた基準、および前記車両データを使用して最良適合の座席ソリューションを計算するようにさらに構成される、請求項１に記載の乗員支持システム。
【請求項３】
前記コンピュータは、前記最良適合の座席ソリューションを使用して前記車両座席の最良適合の配置を生成し、前記車両座席を前記最良適合の配置に動かす指示を通信するようにさらに構成される、請求項２に記載の乗員支持システム。
【請求項４】
前記インターフェイスは、前記乗員に一式の質問をして乗員の身体部分を測定することによって前記乗員から取得される乗員データが手動で入力される結果として乗員データを取得する、請求項１から３のいずれかに記載の乗員支持システム。
【請求項５】
前記構成制御システムは、前記乗員をスキャンすることに応答して乗員データを生成するように構成されるセンサをさらに含み、前記センサは、前記乗員データを前記コンピュータに伝えるために前記コンピュータに結合される、請求項１から４のいずれかに記載の乗員支持システム。
【請求項６】
前記コンピュータは、前記インターフェイスから間隔を空けて設けられ、前記構成制御システムに含まれる通信ユニットによって前記インターフェイスと通信するために前記インターフェイスに結合される、請求項１から５のいずれかに記載の乗員支持システム。
【請求項７】
車両座席をさらに備え、車両座席は、車両フレームに対する相対的な移動のために車両に含まれる前記車両フレームに取り付けられるように構成される座席底部と、前記座席底部に結合され、前記座席背部に対して座席背部の枢動軸回りに枢動する座席背部と、前記座席底部および前記構成制御システムに結合され、前記座席底部および前記座席背部を動かす指示を受け、前記乗員が前記最良適合の身体配置となるように前記座席背部および前記座席底部を配置する座席制御部とを含む、請求項１から６のいずれかに記載の乗員支持システム。
【請求項８】
空気システムをさらに備え、空気システムは、前記車両座席に結合される空気袋と、加圧空気を前記袋に提供するために前記空気袋に結合され、前記コンピュータからの命令を受信するために前記コンピュータに結合される加圧空気源と、前記袋内の空気圧を感知し、前記感知された圧力を前記コンピュータに伝え、前記空気袋内の前記空気圧を許容可能な圧力範囲に維持するように前記加圧空気源に対して前記コンピュータに命令させるために前記空気袋に結合される圧力センサとを含む、請求項１から７のいずれかに記載の乗員支持システム。
【請求項９】
予測システムをさらに備え、予測システムは、地球に対する車両の位置データを判定するように構成されるＧＰＳユニットと、車両の前記位置データを受け取り、前記車両が軌道に沿って移動するにつれて地球に対する前記車両の予測未来位置を判定するために前記ＧＰＳユニットに結合され、対応する前記車両の予測未来位置データを前記コンピュータに送信するために前記コンピュータに結合されるマップ化ユニットとを含み、
前記コンピュータは、前記車両が前記予測未来位置にある場合に前記乗員の快適性および／または安全性が高められるように、前記予測未来位置データおよび前記乗員データを使用して、修正された最良適合の身体配置を計算するよう、さらに構成される、請求項１から８のいずれかに記載の乗員支持システム。
【請求項１０】
乗員支持システムであって、
車両座席を備え、車両座席は、車両フレームに対する相対的な移動のために車両に含まれる前記車両フレームに取り付けられるように構成される座席底部と、前記座席底部に結合され、前記座席底部に対して座席背部の枢動軸回りに枢動する座席背部と、前記座席背部および前記座席底部の動きを制御するために前記座席背部および前記座席底部に結合される座席動作システムとを含み、乗員支持システムはさらに、
構成制御システムを備え、構成制御システムは、前記乗員に関連付けられる乗員データおよび前記車両座席に関連付けられる車両データを取得するように構成されるインターフェイスと、乗員データおよび車両データを受信し、前記乗員データを使用して一組の身体比率を計算し、前記身体比率および前記乗員データを使用して外的な身体の寸法を計算し、前記乗員の肉体の厚さの推定値および前記外的な身体の寸法を使用して内的な身体の寸法を計算し、前記内的な身体の寸法および予め定められた基準を使用して乗員の最良適合の身体配置を計算し、最良適合の身体配置、前記車両データ、および前記予め定められた基準を使用して最良適合の身体配置を計算し、前記最良適合の座席ソリューションを前記座席動作システムに伝え、前記車両座席が前記最良適合の配置にある場合に前記乗員の快適性および／または安全性が高まるように、前記車両座席の最良適合の配置を確立するために前記座席底部および前記座席背部を移動させる手段を提供するように構成されるコンピュータとを含む、乗員支持システム。
【請求項１１】
乗員支持システムであって、
車両座席を備え、車両座席は、車両フレームに対する相対的な移動のために車両に含まれる前記車両フレームに取り付けられるように構成される座席底部と、前記座席底部に結合され、前記座席底部に対して座席背部の枢動軸回りに枢動する座席背部と、前記座席背部および前記座席底部の動きを制御するために前記座席背部および前記座席底部に結合される座席動作システムとを含み、乗員支持システムはさらに、
空気システムを備え、空気システムは、前記車両座席に結合され、前記車両座席に着座する乗員を支持するように構成された空気袋と、加圧空気を前記袋に提供するために前記空気袋に結合され、前記座席動作システムから命令を受け取るために前記座席動作システムに結合される加圧空気源と、前記空気袋に結合され、前記袋内の空気圧を感知するように構成され、前記感知した圧力を前記座席動作システムに伝えるために前記座席動作システムに結合される圧力センサとを含み、
前記座席動作システムは、許容可能な圧力範囲内に前記空気袋の前記空気圧を維持するように前記加圧空気源に命令するように構成される、乗員支持システム。
【請求項１２】
構成制御システムをさらに備え、構成制御システムは、前記乗員に関連付けられる乗員データおよび前記車両座席に関連付けられる車両データを取得するように構成されるインターフェイスと、乗員および車両データを受け取り、前記乗員データを使用して一組の身体比率を計算し、前記身体比率および前記乗員データを使用して外的な身体の寸法を計算し、前記乗員の肉体の厚さの推定値および外的な身体の寸法を使用して内的な身体の寸法を計算し、前記内的な身体の寸法および予め定められた基準を使用して前記乗員の最良適合の身体配置を計算し、最良適合の身体配置、前記車両データ、および前記予め定められた基準を使用して最良適合の座席ソリューションを計算し、前記車両座席の最良適合の配置を確立する位置に前記座席底部および前記座席背部の位置を動かす前記最良適合の座席ソリューションを前記座席動作システムに伝え、前記車両座席が前記最良適合の配置となり、前記空気袋が前記許容可能な圧力範囲となる、前記車両座席および前記空気システムの最適適合配置を実現するように、前記座席動作システムに前記空気システムを起動させる手段を提供するように構成されたコンピュータとを含む、請求項１１に記載の乗員支持システム。
【請求項１３】
予測システムをさらに備え、予測システムは、地球に対する車両の位置を判定するように構成されたＧＰＳユニットと、前記車両の前記位置を受け取り、前記車両が軌道に沿って進むにつれて地球に対する前記車両の予測未来位置を判定するために前記ＧＰＳユニットに結合され、対応する予測未来位置データを前記コンピュータに送信するために前記コンピュータに結合されるマップ化ユニットとを含み、
前記コンピュータは、前記予測未来位置データ、前記最良適合の座席ソリューション、および前記車両データを使用し、前記座席底部および前記座席背部を修正された最良適合の配置に動かす修正された最良適合の座席ソリューションを計算し、前記修正された最良適合の座席ソリューションを前記座席動作システムに伝え、前記車両座席および前記空気システムの修正された前記最適適合配置が実現し、前記車両が前記予測未来位置にある場合に前記乗員の快適性および／または安全性が高められるように、前記座席動作システムに前記空気システムを起動させるようにさらに構成される、請求項１２に記載の乗員支持システム。
【請求項１４】
乗員支持システムであって、
車両座席を備え、車両座席は、車両フレームに対する相対的な動作のために車両に含まれる前記車両フレームに取り付けられるように構成される座席底部と、前記座席底部に結合され、前記座席底部に対して相対的に座席背部の枢動軸回りに枢動する座席背部と、前記座席背部および前記座席底部に結合され、前記座席背部および前記座席底部の動作を制御する座席動作システムとを含み、乗員支持システムはさらに、
予測システムを備え、予測システムは、地球に対する相対的な車両の実際の位置を判定するように構成されたＧＰＳユニットと、前記ＧＰＳユニットに結合され、前記車両の前記位置を受け取り、前記車両が軌道に沿って動くにつれて地球に対する相対的な前記車両の予測未来位置を判定するマップ化ユニットとを含み、前記マップ化ユニットは、前記座席動作システムに結合され、対応する予測未来位置データを前記座席動作システムに送り、前記座席動作システムは、前記予測未来位置データを使用して前記車両座席の予測配置を計算し、前記車両が前記予測未来位置を通過するにつれて前記乗員が前記車両座席によって支持されるように、前記座席底部および前記座席背部を動かし、前記車両座席の前記予測配置を実現させる、乗員支持システム。
【請求項１５】
構成制御システムをさらに備え、構成制御システムは、前記乗員に関連付けられる乗員データおよび前記車両座席に関連付けられる車両データを取得するように構成されたインターフェイスと、乗員データおよび車両データを受け取り、前記乗員データを使用して一組の身体比率を計算し、前記身体比率および前記乗員データを使用して外的な身体の寸法を計算し、前記乗員の肉体の厚さの推定値および外的な身体の寸法を用いて内的な身体寸法を計算し、前記内的な身体の寸および予め定められた基準を用いて前記乗員の最良適合の身体配置を計算し、前記最良適合の身体配置、前記車両データ、前記予め定められた基準、および前記予測未来位置データを使用して、予測された最良適合の座席ソリューションを計算し、前記予測された最良適合の座席ソリューションを前記座席動作システムに伝えるための手段を提供するように構成されるコンピュータとを含み、前記車両が前記予測未来位置を通過すると前記乗員が支持されるように前記座席底部を前記座席背部を動かし、前記車両座席の予測された最良適合の配置を実現する、請求項１４に記載の乗員支持システム。
【請求項１６】
前記予測システムは、天候データおよび交通データの一方を受け取るように構成された受信部をさらに含み、前記受信部は、前記座席動作システムに結合され、天候データおよび交通データの一方を前記座席動作システムに伝え、前記座席動作システムは、前記車両の前記予測未来位置ならびに天候データおよび交通データの一方を使用して、前記車両座席の向上した予測配置を計算し、前記座席動作システムは、前記車両が前記予測未来位置を通過すると前記乗員が前記車両座席によって支持されるように、前記座席底部および前記座席背部を動かし、前記車両座席の前記向上した予測配置を実現する、請求項１４または１５に記載の乗員支持システム。
【請求項１７】
乗員の身体のための最良適合の身体配置を生成して使用する方法であって、前記方法は、
前記乗員に関連付けられる乗員データをインターフェイスを介して取得するステップと、
内的な身体の寸法および予め定められた基準を使用して前記乗員の前記最良適合の身体配置を計算するステップとを備え、
前記乗員の快適性および／または安全性は、前記乗員の身体が前記最良適合の身体配置にある場合に高められる、方法。
【請求項１８】
前記乗員によって使用される車両座席に関連付けられる車両データを取得するステップと、前記内的な身体の寸法、前記予め定められた基準、および車両データを使用して最良適合の座席ソリューションを計算するステップとをさらに備える、請求項１７に記載の方法。
【請求項１９】
前記最良適合の座席ソリューションを使用して前記車両座席の最良適合の配置を生成するステップと、前記車両座席を前記最良適合の配置に動かすための指示を伝えるステップとをさらに備える、請求項１８に記載の方法。
【請求項２０】
前記車両座席を前記最良適合の配置に動かすための前記指示は、前記乗員が前記最良適合の身体配置となるように座席背部および座席底部を配置させるために前記座席底部および前記座席背部を動かす指示を含む、請求項１９に記載の方法。
【請求項２１】
前記車両座席に含まれる空気システムのための命令を生成するステップをさらに備え、前記空気システムは、前記車両座席に結合される空気袋と、加圧空気を前記袋に提供するために前記空気袋に結合された加圧空気源とを含み、
前記空気袋に結合されたセンサを使用して前記袋内の圧力を感知するステップと、
前記感知された圧力に基づき、前記空気袋内の前記空気圧を許容可能な範囲内に維持するステップとをさらに備える、請求項１８から２０のいずれかに記載の方法。
【請求項２２】
前記車両座席が前記最良適合の配置となり、前記空気袋が前記許容可能な圧力範囲となる、前記車両座席および前記空気システムの最適適合配置が実現されるように前記空気システムを起動するステップをさらに備える、請求項２１に記載の方法。
【請求項２３】
前記乗員に一式の質問をして、乗員の身体部分を測定することによって前記乗員から取得された手動での入力による乗員データを受け取った結果として前記乗員データが取得される、請求項１７から２２のいずれかに記載の方法。
【請求項２４】
前記乗員をスキャンするセンサを使用して乗員データを生成するステップをさらに備える、請求項２３に記載の方法。
【請求項２５】
地球に対する相対的な車両の位置データを判定するステップと、
前記車両が経路に沿って動くにつれて地球に対する前記車両の予測未来位置を判定し、対応する前記車両の予測未来位置データを生成するステップと、
前記車両が前記予測未来位置にある場合に前記乗員の快適性および／または安全性が高められるように、前記予測未来位置データおよび前記乗員データを使用して、修正された最良適合の身体配置を計算するステップとをさらに備える、請求項１７から２４のいずれかに記載の方法。
【請求項２６】
前記最良適合の配置の前記計算は、
前記乗員データを使用した一組の身体比率の計算と、
前記身体比率および前記乗員データを使用した外的な身体の寸法の計算と、
前記乗員の肉体の厚さの推定値および外的な身体の寸法を使用した前記内的な身体の寸法の計算とを含む、請求項１７から２５のいずれかに記載の方法。
【請求項２７】
前記車両座席が前記最良適合の配置にある場合に前記乗員の快適性および／または安全性が高められるように、前記最良適合の座席ソリューションを使用して、前記車両座席を最良適合の配置とするために、車両座席の座席底部および座席背部を移動させるための指示を生成する、請求項２６に記載の方法。
【請求項２８】
予測未来位置データ、前記最良適合の座席ソリューション、および前記車両データを使用して、修正された最良適合の座席ソリューションを計算するステップと、
前記車両座席および前記空気システムの前記修正された最適適合配置が実現し、前記車両が前記予測未来位置にある場合に前記乗員の快適性および／または安全性が高められるように、前記座席底部および前記座席背部を前記修正された最良適合の配置に動かし、空気システムを起動する指示を生成するステップとをさらに備える、請求項２６または２７に記載の方法。
【請求項２９】
予測未来位置データ、前記最良適合の座席ソリューション、および前記車両データを使用して、修正された車両適合の座席ソリューションを計算するステップと、
前記車両座席および前記空気システムの前記修正された最適適合配置が実現し、前記車両が前記予測未来位置を通過する場合に前記乗員の快適性および／または安全性が高められるように、前記座席底部および前記座席背部を前記修正された最良適合の配置に動かし、空気システムを起動する指示を生成するステップとをさらに備える、請求項２６から２８のいずれかに記載の方法。
【請求項３０】
前記最良適合の身体配置、車両データ、および前記予め定められた基準を使用して、最良適合の座席ソリューションを計算するステップをさらに備える、請求項２６から２９のいずれかに記載の方法。
【請求項３１】
前記内的な身体の寸法は、前記乗員の骨寸法を用いて判定され、前記骨寸法は、前記乗員データに基づいて判定される、請求項１７から３０のいずれかに記載の方法。
【請求項３２】
前記乗員データは、前記インターフェイスを使用して撮像された画像に含まれる画像データに基づいて生成される、請求項１７から３１のいずれかに記載の方法。
【請求項３３】
前記画像を使用した前記乗員の身体寸法の測定を可能とするために前記インターフェイス上にキャリパの表示を出力するステップをさらに備える、請求項３２に記載の方法。
【請求項３４】
請求項１７から３３のいずれかに記載のステップをコンピュータに実行させるためのプログラム。
【請求項３５】
座席のための構成制御システムを備える乗員支持システムであって、前記構成制御システムは、
乗員に関連付けられる乗員データを取得するように構成されるインターフェイスと、
前記乗員データを受け取り、前記乗員データを使用して一組の身体比率を計算し、前記身体比率および乗員データを使用して外的な身体の寸法を計算し、少なくとも前記外的な身体の寸法を使用して内的な身体の寸法を計算し、前記乗員の身体が最良適合の身体配置にある場合に前記乗員の快適性および／または安全性が高められるように、内的な身体の寸法および予め定められた基準を使用して前記乗員の最良適合の身体配置を計算するためのコンピュータ手段と、
前記座席を前記最良適合の身体配置に移動するために適合されたアクチュエータとを含む、乗員支持システム。
【請求項３６】
車両に含まれる車両フレームに取り付けられるように構成される車両座席をさらに備え、前記インターフェイスは、前記車両座席に関連付けられる車両データを取得するようにさらに構成され、前記コンピュータは、前記内的な身体の寸法、前記予め定められた基準、および前記車両データを使用して最良適合の座席ソリューションを計算するようにさらに構成される、請求項３５に記載の乗員支持システム。
【請求項３７】
前記コンピュータは、前記最良適合の座席ソリューションを使用して前記車両座席の最良適合の配置を生成し、前記車両座席を前記最良適合の配置に動かす指示を通信するようにさらに構成される、請求項３６に記載の乗員支持システム。
【請求項３８】
前記インターフェイスは、前記乗員に一式の質問をして乗員の身体部分を測定することによって前記乗員から取得される乗員データが手動で入力される結果として乗員データを取得する、請求項３５から３７のいずれかに記載の乗員支持システム。
【請求項３９】
前記構成制御システムは、前記乗員をスキャンすることに応答して乗員データを生成するように構成されるセンサをさらに含み、前記センサは、前記乗員データを前記コンピュータに伝えるために前記コンピュータに結合される、請求項３５から３８のいずれかに記載の乗員支持システム。
【請求項４０】
前記コンピュータは、前記インターフェイスから間隔を空けて設けられ、前記構成制御システムに含まれる通信ユニットによって前記インターフェイスと通信するために前記インターフェイスに結合される、請求項３５から３９のいずれかに記載の乗員支持システム。
【請求項４１】
車両座席をさらに備え、車両座席は、車両フレームに対する相対的な移動のために車両に含まれる前記車両フレームに取り付けられるように構成される座席底部と、前記座席底部に結合され、前記座席背部に対して座席背部の枢動軸回りに枢動する座席背部と、前記座席底部および前記構成制御システムに結合され、前記座席底部および前記座席背部を動かす指示を受け、前記乗員が前記最良適合の身体配置となるように前記座席背部および前記座席底部を配置する座席制御部とを含む、請求項３５から４０のいずれかに記載の乗員支持システム。
【請求項４２】
空気システムをさらに備え、空気システムは、前記車両座席に結合される空気袋と、加圧空気を前記袋に提供するために前記空気袋に結合され、前記コンピュータからの命令を受信するために前記コンピュータに結合される加圧空気源と、前記袋内の空気圧を感知し、前記感知された圧力を前記コンピュータに伝え、前記空気袋内の前記空気圧を許容可能な圧力範囲に維持するように前記加圧空気源に対して前記コンピュータに命令させるために前記空気袋に結合される圧力センサとを含む、請求項３５から４１のいずれかに記載の乗員支持システム。
【請求項４３】
予測システムをさらに備え、予測システムは、地球に対する車両の位置データを判定するように構成されるＧＰＳユニットと、車両の前記位置データを受け取り、前記車両が軌道に沿って移動するにつれて地球に対する前記車両の予測未来位置を判定するために前記ＧＰＳユニットに結合され、対応する前記車両の予測未来位置データを前記コンピュータに送信するために前記コンピュータに結合されるマップ化ユニットとを含み、
前記コンピュータは、前記車両が前記予測未来位置にある場合に前記乗員の快適性および／または安全性が高められるように、前記予測未来位置データおよび前記乗員データを使用して、修正された最良適合の身体配置を計算するよう、さらに構成される、請求項３５から４２のいずれかに記載の乗員支持システム。
【請求項４４】
座席にいる乗員の身体のための最良適合の身体配置を生成して使用する方法であって、前記方法は、
前記乗員に関連付けられる乗員データをインターフェイスを介して取得するステップと、
内的な身体の寸法および予め定められた基準を使用して前記乗員の前記最良適合の身体配置を計算するステップと、
前記乗員の快適性および／または安全性を高めるために前記最良適合の身体配置の座席を移動するステップとを備える、方法。